(57)【特許請求の範囲】
【請求項１】
金網と、目付けが２５〜６０ｇ／ｍ2 であり、目付けにおける構成繊維の比率が５０％以上であり、前記構成繊維の平均繊度が２〜１００ｄｔｅｘであり、植物の通根性を持たせてある不織布とを具備し、前記不織布は前記金網よりも伸縮性及び柔軟性が高く、さらに、前記不織布は前記金網の片側に接合され、前記金網と前記不織布とは複数の帯状の接合領域において部分的に接合されている侵食防止材を、前記不織布が下側となるように用い、且つ前記帯状の接合領域が等高線と平行になるように法面に敷設することを特徴とする侵食防止方法。
【発明の詳細な説明】
【技術分野】
【０００１】
本発明は、法面の表土の侵食を防止する侵食防止方法に関する。
【背景技術】
【０００２】
自然災害等で崩壊した直後の崩壊地（法面）において、さらなる崩壊・侵食を防ぐ応急措置として植生基材吹付工が実施されることがある。この植生基材吹付工では、図８に示すように、成形の終わった法面Ｎに、金網（ラス金網）５１を張り、植生基材５２の吹付けを行う（例えば特許文献１，２参照）。
【先行技術文献】
【特許文献】
【０００３】
【特許文献１】特開平７−３１７０６７号公報
【特許文献２】特公平８―１９６７９号公報
【発明の概要】
【発明が解決しようとする課題】
【０００４】
しかし、斯かる植生基材吹付工では、例えば雨期に降雨による工事の中断が続き、その中断が植生基材５２の吹付け前であると、それがたとえ金網５１の張設後であっても、金網５１には侵食防止効果が殆ど無いので、雨水等により法面Ｎが侵食を受けることがある。また、施工規模が大きくなるほど、法面Ｎ全面に対する成形と金網５１の張設とに掛かる期間が長くなるため、特に法面Ｎにおいて初期に成形されたエリアでは、工事の中断がなくても、金網５１の張設が完了した時点で侵食がかなり進んでいることがある。そして、これらの場合には、張設した金網５１を一旦取り外し、法面Ｎの侵食を受けている箇所を土嚢で埋めて、再度金網５１を張設するといった手間が掛かる。
【０００５】
そこで、金網５１の張り終わった箇所を例えば所謂ブルーシート等の合成樹脂製シートにより一時的に被覆する、といったことを随時行うようにし、植生基材５２の吹付けを行うまでの間における法面Ｎの侵食を防止することが考えられるが、このようにすると、合成樹脂製シートの設置と撤去の手間が別途掛かり、施工性が悪化するという問題がある。  
【０００６】
上記の問題を解決するために、本出願人は、不織布を装着し一体化した金網を法面に敷設することを検討している。この場合、問題になるのは、金網を固定するアンカーピンを打設するために金網の上側からドリル削孔を行う必要があり、不織布付きの金網の上側からドリリングを行うと、不織布の構成繊維がドリルに絡みついて、ドリリング作業が困難化したり不織布付き金網の破損を招来したりし、また、ドリリングによって不織布に大きな穴が形成され、不織布の耐侵食性能が低下したりもする、ということである。
【０００７】
本発明は上述の事柄に留意してなされたもので、その目的は、法面の保護を図ることができ、特に法面への設置の際にドリリング作業が行われる場合に用いて好適な侵食防止方法を提供することにある。
【課題を解決するための手段】
【０００８】
【０００９】
【００１０】
上記目的を達成するために、本発明に係る侵食防止方法は、金網と、目付けが２５〜６０ｇ／ｍ2 であり、目付けにおける構成繊維の比率が５０％以上であり、前記構成繊維の平均繊度が２〜１００ｄｔｅｘであり、植物の通根性を持たせてある不織布とを具備し、前記不織布は前記金網よりも伸縮性及び柔軟性が高く、さらに、前記不織布は前記金網の片側に接合され、前記金網と前記不織布とは複数の帯状の接合領域において部分的に接合されている侵食防止材を、前記不織布が下側となるように用い、且つ前記帯状の接合領域が等高線と平行になるように法面に敷設することを特徴としている（請求項１）。
【発明の効果】
【００１１】
本願発明では、法面の保護を図ることができ、特に法面への設置の際にドリリング作業が行われる場合に用いて好適な侵食防止方法が得られる。
【００１２】
すなわち、本発明で用いる不織布では、法面の侵食防止効果を奏することが期待されるだけでなく、ドリルに対する不織布の絡みつきが減少することでドリリング作業の効率化を図ることができ、さらに不織布が破損する可能性は低くなり、不織布及び不織布を装着した侵食防止材の耐侵食性能の向上を期待することもできる。
【００１３】
本発明の侵食防止方法では、侵食抑制力が高く植物生育の可能な不織布を装着した金網を使用することで、金網の施工のみで緑化するまでの長期間の侵食抑制が期待される。
【００１４】
また、侵食防止材を構成する金網と不織布とが互いに全面ではなく部分的に接合されているので、侵食防止材を法面上に敷設したときに、金網と不織布との間に隙間が生まれ易く、故に金網よりも伸縮性及び柔軟性の高い不織布が法面の凹凸になじみ易くなっている。そして、このように不織布が法面の凹凸になじむことは、不織布が奏する法面の侵食防止効果を一層高めることになる。
【００１５】
また、従来の植生基材吹付工では、金網が敷設されていても植生基材が吹き付けられていないエリアにおいては法面の侵食が進行する場合があり、この場合には、金網を一時的に取り外し、法面を再成形する必要があり、それだけ手間が掛かることになる。しかし、本発明で用いる侵食防止材は、一旦敷設されると、不織布が侵食防止効果を奏するので、侵食防止材の一時的な取り外しや法面の再成形が必要となる事態を回避することができる。
【図面の簡単な説明】
【００１６】
【図１】本発明の一実施の形態に係る侵食防止方法の構成を概略的に示す説明図である。
【図２】前記実施の形態で用いる侵食防止材の構成を概略的に示す分解斜視図である。
【図３】（Ａ）及び（Ｂ）は、前記侵食防止材の接合領域の一例及び参考例を概略的に示す説明図である。
【図４】（Ａ）及び（Ｂ）は、前記侵食防止材の金網の末端に施す完全ナックル加工及び水平（半）ナックル加工を概略的に示す説明図である。
【図５】（Ａ）及び（Ｂ）は、不織布の構成繊維が太い場合及び細い場合のドリル穴の状態を示す、図面に代わる写真である。
【図６】（Ａ）及び（Ｂ）は、不織布の繊維比率が５５％及び７５％である場合のドリル穴の状態を示す、図面に代わる写真である。
【図７】（Ａ）及び（Ｂ）は、前記侵食防止材の接合領域の参考例を概略的に示す説明図である。
【図８】従来の侵食防止方法を概略的に示す説明図である。
【発明を実施するための形態】
【００１７】
本発明の実施の形態について図面を参照しながら以下に説明する。
【００１８】
本実施の形態に係る侵食防止方法で用いる侵食防止材Ｅは、図１に示すように、法面Ｎ上に敷設されて用いられるものであり、図１及び図２に示すように、金網１と、不織布２とを具備する。ここで、金網１は菱形金網（ラス金網）であり、不織布２は、ニードルパンチ、スパンレース、スパンボンド等の不織布である。
【００１９】
また、図２に示すように、金網１は幅Ｗ１が２ｍで長さＬ１が１０ｍの略矩形状を呈し、不織布２は金網１よりも若干大きく、金網１と不織布２とを重ねたときに、不織布２が金網１の周囲の四つの縁から各々５ｍｍ以上外側にはみ出す程度の大きさとなっている。  
【００２０】
そして、金網１と不織布２とは、複数の接合領域において部分的に接合され、一体化される。本実施形態では、図３（Ａ）に示すように、金網１の幅方向（左右方向）に延びる帯状の接合領域３を複数設定し、各接合領域３においてホットメルトにより金網１と不織布２とを接合する。各接合領域３は、金網１の左右端から４〜２０ｃｍ内側の位置にまで左右に延び、前後方向（金網１の長さ方向）の幅Ｗ３は５ｃｍ以下（例えば２〜３ｃｍ程度）となっている。また、接合領域３は、金網１の長さ方向に３０〜１００ｃｍ間隔で設けられている。
【００２１】
本実施形態の侵食防止方法は、成形後の法面Ｎに、侵食防止材Ｅを敷設し、その上側から植生基材４を吹き付けるというものである（図１参照）。
【００２２】
侵食防止材Ｅの敷設は、不織布２が下側になるように複数の侵食防止材Ｅを法面Ｎ上に敷き詰めて配置し、アンカーピン（図示していない）の打設等によって各侵食防止材Ｅを固定することにより行うことができる。
【００２３】
ここで、複数の侵食防止材Ｅを法面Ｎ上に敷き詰める際、縦横に並ぶ侵食防止材Ｅは互いに一部が重なった状態となるので、金網１の末端が尖っていると、末端に接触した不織布２が破れてしまう恐れがある。そこで、本実施形態では、金網１の末端をナックル加工（図４（Ａ）に示す完全ナックル加工または同図（Ｂ）に示す水平ナックル加工）することにより、金網１の末端への接触による不織布２の破損の防止を図るようにしている。加えて、上述したように、不織布２を金網１よりも若干大きくし、金網１と不織布２との絡まりの低減を図っている。
【００２４】
また、侵食防止材Ｅにおいて、帯状の接合領域３を金網１の長さ方向に１ｍ（１００ｃｍ）間隔で設けてあれば、例えば３本／２ｍの間隔で打設されるアンカーピンの打設位置の目安として接合領域３を用いることができ、アンカーピンの打設作業の効率性の向上を図ることができる。
【００２５】
植生基材４は、種子、肥料、生育基盤材、保水材、土壌改良材などの少なくとも一種以上を配合したものである。
【００２６】
本実施形態で用いる侵食防止材Ｅでは、侵食抑制力が高く植物生育の可能な不織布２を装着した金網１を使用することで、金網１の施工のみで緑化するまでの長期間の侵食抑制が期待される。
【００２７】
本実施形態の侵食防止方法は、成形後の法面Ｎ上に侵食防止材Ｅを敷設し、植生基材４を吹き付けるというものであり、侵食防止材Ｅの敷設は従来の植生基材吹付工における金網の敷設と同様に行うことができ、施工が容易である。
【００２８】
また、従来の植生基材吹付工では、金網が敷設されていても植生基材が吹き付けられていないエリアにおいては法面Ｎの侵食が進行する場合があり、この場合には、金網を一時的に取り外し、法面を再成形する必要があり、それだけ手間が掛かることになる。しかし、本実施形態の侵食防止方法では、侵食防止材Ｅが一旦敷設されると、侵食防止材Ｅの不織布２が侵食防止効果を奏するので、侵食防止材Ｅの一時的な取り外しや法面Ｎの再成形が必要となる事態を回避することができる。
【００２９】
さらに、侵食防止材Ｅを構成する金網１と不織布２とが互いに全面ではなく部分的に接合されているので、侵食防止材Ｅを法面Ｎ上に敷設したときに、金網１と不織布２との間に隙間が生まれ易く、故に金網１よりも伸縮性及び柔軟性の高い不織布２が法面Ｎの凹凸になじみ易くなっている。そして、このように不織布２が法面Ｎの凹凸になじむことは、不織布２が奏する法面Ｎの侵食防止効果を一層高めることになる。
【００３０】
その上、本実施形態では、各接合領域３を帯状としてあるので、風によって不織布２が金網１から捲れるということが起こり難く、また、帯状の接合領域３が等高線と平行になるように侵食防止材Ｅを敷設するので、接合領域３による法面Ｎの土壌流出防止を期待することもできる。
【００３１】
上記のように法面Ｎの侵食防止効果を奏することが期待される不織布２は、法面Ｎの凹凸にあわせてなじむような伸縮性、柔軟性（少なくとも金網１よりも高い伸縮性及び柔軟性）を有している。また、植生基材４によって法面Ｎの緑化を図る上では、不織布２に植物の通根性に富む構造（強度）を持たせてある。
【００３２】
同時に、不織布２は、法面Ｎに設置される際、アンカーピンを打設するための削孔（穿孔）作業に用いられるドリルによって穴があけられるものであるので、このドリルに絡み難く、かつこのドリルによって大きな穴があき難いもの（すなわち、ドリリングに適したもの）である必要がある。
【００３３】
そのような不織布２の目付量は、２５〜１５５ｇ／ｍ2 （本発明では２５〜６０ｇ／ｍ2 ）とすることができ、不織布２の厚みは１〜２０ｍｍ（本例では６ｍｍ）とするのが好適である。不織布２の目付量が２５ｇ／ｍ2 未満であったり、不織布２の厚みが１ｍｍ未満であったりすると、繊維密度の低さ等が原因となって侵食防止効果を十分に得られない。逆に、不織布２の目付量が１５５ｇ／ｍ2 超である場合や、不織布２の厚みが２０ｍｍ超である場合には、繊維密度が高くなったり厚みが増したりするため、不織布２が植物の通根を阻害したり、不織布２を貫いて伸びる植物の根や不織布２の上側に積層される植生基材４が乾燥し易くなったりして植物の地面への定着が妨げられる恐れがある。しかも、不織布２の目付量が１５５ｇ／ｍ2 超であると、材料が過剰に必要となるため不織布２がコスト高となったり、不織布２を含む侵食防止材Ｅ自体の重量が重くなり作業性が低下したりすることも考えられる。
【００３４】
不織布２の構成繊維の素材としては、ポリエステル、アクリル系などの化学繊維の他、レーヨン、綿等を用いることができる。
【００３５】
そして、不織布２の構成繊維には細い繊維を用いることが好ましく、具体的には、不織布２の構成繊維の平均繊度を、２〜１００ｄｔｅｘとすることができる。すなわち、構成繊維の重量が一定であれば、不織布２の構成繊維として太い繊維を用いる場合よりも上記のように細い繊維を使用する場合のほうが、構成繊維の使用本数が増え、構成繊維一本あたりの接着点が多くなり、また、構成繊維一本あたりの引張強度は小さくなる。そして、これらの違いから、不織布２の構成繊維として特に平均繊度が１００ｄｔｅｘ以下の細い繊維を用いた場合には、繊維の毛羽立ちが減少し、ドリルの刃に絡み始めるきっかけが減少し、また、ドリルの刃に絡み始めた場合もすぐに繊維が切れるため、大きな破損となり難い、と考えられる。このことは、不織布２の構成繊維として平均繊度が１００ｄｔｅｘ超の太い繊維を用いた場合のドリル穴の状態を示す図５（Ａ）と、平均繊度が１００ｄｔｅｘ以下の細い繊維を用いた場合のドリル穴の状態を示す図５（Ｂ）とを対比すれば明らかである。尚、不織布２の構成繊維の平均繊度が２ｄｔｅｘ未満では、繊維の強度が弱いため破損しやすくなり侵食防止材としての利用に適さない。
【００３６】
加えて、目付けにおける不織布２の構成繊維の比率は５０％以上（特に５５％〜７５％）であることが好ましい。実際に、不織布２として、繊維結合用接着剤によって構成繊維が結合され、目付けにおける構成繊維の比率（繊維比率）が５０％未満のもの（繊維比率が低く接着剤の割合が高いもの）を用いた場合、不織布２が固くなり、ドリルの刃が当たった時点で破れたり、接着剤によって繊維同士の連結が強くなるため、ドリルに絡むと周囲の繊維が巻き込まれることによりドリル削孔時に不織布２に大きな穴が形成されてしまったりする現象が確認された。しかし、本実施形態の不織布２は、繊維比率を高めてあり、柔らかくなっているので、不織布２自体の破損を低く抑えることができる。図６（Ａ）、（Ｂ）は、それぞれ繊維比率が５５％、７５％である不織布２を用いた場合のドリル穴の状態を示しており、これらの図に示す程度の大きさのドリル穴が形成されても不織布２の侵食防止機能が損なわれることはなく、ひいては、これらの図から、繊維比率が５５％〜７５％の範囲にある不織布２を用いた場合には、形成されるドリル穴は不織布２の侵食防止機能が損なわれない程度に十分小さく目立たないものになるということが把握される。このように、特に不織布２の構成繊維の比率を５５％〜７５％とすると、主として接着剤の割合の高さとドリルの刃に起因する不織布２の上記破れ等の現象の発生が効果的に抑えられる上、ドリルに絡まる要因となる繊維の量が制限されることにもなり、好ましい。  
【００３７】
勿論、構成繊維の比率を５５％〜７５％に限らず５０％以上とし、平均繊度を２〜１００ｄｔｅｘとした不織布２を用いた場合、ドリリングによって不織布２に形成されたドリル穴は目立たず、形成された穴の周囲は毛羽立った状態ではなく、繊維どうしが絡んだ状態となる。従って、本実施形態の不織布２を用いれば、ドリルに対する不織布２の絡みつきが減少することでドリリング作業の効率化を図ることができ、さらに不織布２が破損する可能性は低くなり、不織布２及び不織布２を装着した侵食防止材の耐侵食性能の向上を期待することができる。
【００３８】
上述のように、侵食防止材を法面Ｎに設置する際、アンカーピンの打設のためのドリリング作業によって不織布２に穴があくことは避けられないが、この穴の形成に伴って不織布２の強度が低下することを懸念する場合は、例えば穴の周囲を圧迫して保護するワッシャ等の部材を設ければよい。
【００３９】
なお、本発明は、上記の実施の形態に何ら限定されず、本発明の要旨を逸脱しない範囲において種々に変形して実施し得ることは勿論である。
【００４０】
例えば、上記実施の形態では、金網１が菱形金網である例を示したが、これに限らず、金網１が亀甲金網などの金網であってもよい。また、金網１の目合い、幅及び長さ、さらには形状等も種々のものを使用可能である。但し、侵食防止材を使用して緑化を図る場合や緑化を期待する以上は、金網１の目合いは緑化植物の通芽が可能な大きさとしてあるのが望ましい。
【００４１】
また、金網１と不織布２とを略同じ大きさとしてもよいし、不織布２を金網１よりも若干小さくし、金網１と不織布２とを重ねたときに、金網１が不織布２の周囲の四つの縁から各々５ｍｍ以上外側にはみ出す程度の大きさとしてもよい。さらに、不織布２を金網１の半分程度の大きさとして一枚の金網１に２枚の不織布２を一体化するなど、複数枚の不織布２を一枚の金網１に一体化するようにしてもよい。逆に、一枚の不織布２が複数枚の金網１にわたって一体化されていてもよい。その他、例えば不織布２を金網１の１．５倍の大きさとし、３枚の金網１に対して２枚の不織布２を一体化するといったことやその逆のようなこともできる。
【００４２】
上記実施の形態では、接合領域３を金網１の左右方向に延びる帯状としている。但し、金網１の外縁に近過ぎる位置では接合の剥離が生じ易いため、金網１の外縁から４〜２０ｃｍ以内の範囲に接合領域３を設定しないのが好ましい。また、接合領域３は３０〜１００ｃｍ間隔の帯状に分散させることで、金網１と不織布２の間に隙間が生まれ易くなり、不織布２が法面Ｎの凹凸になじみ易くなる。図３（Ｂ）は各接合領域をピンポンイト状とした参考例を示す。
【００４３】
上記実施の形態では、図３（Ａ）に示すように接合領域３は金網１の複数の目合いを横断するように延びている。接合領域の参考例を図７（Ａ）（Ｖ字状）、図７（Ｂ）（波形状）に示す。
【００４４】
【００４５】
上記実施の形態では、金網１と不織布２との接合をホットメルトにより行っているが、これに限らず、例えば両面テープ、接着剤、連結部材（例えばＣリング）等を用いて両者１，２の接合を行うようにしてもよい。
【００４６】
本明細書で挙げた変形例どうしを適宜組み合わせてもよいことはいうまでもない。
【符号の説明】
【００４７】
１    金網
２    不織布
３    接合領域
４    植生基材
５１    金網
５２    植生基材
Ｅ    侵食防止材
Ｌ１  金網の長さ
Ｎ    法面
Ｗ１  金網の幅
Ｗ３  接合領域の幅
【図１】
0005918199.tif 000002
【図２】
0005918199.tif 000003
【図３】
0005918199.tif 000004
【図４】
0005918199.tif 000005
【図５】
0005918199.tif 000006
【図６】
0005918199.tif 000007
【図７】
0005918199.tif 000008
【図８】
0005918199.tif 000009